(57)【要約】【課題】防蟻処理対象への複数回にわたる薬剤散布を的確かつ効率的に実行可能とする。【解決手段】防蟻処理対象となる建造物１０の基礎１００直下または基礎１００周辺の土壌２０中に、当該土壌２０と内空２０１との間を連通する連通孔２０２を備えた有孔筒状体２００を設置し、防蟻用薬剤を噴射する噴射口３０１と当該噴射口３０１に圧送装置３５０より圧送される防蟻用薬剤を供給するフレキシブル管３０２とを備えた挿入具３００を、前記有孔筒状体２００における前記内空２０１のうち防蟻処理領域にあたる経路位置に前記噴射口３０１が位置すべく挿通し、前記内空２０１に挿通された前記挿入具３００に圧送装置より防蟻用薬剤を供給し、当該防蟻用薬剤を前記噴射口３０１より噴射させ、当該噴射口３０１より噴射させた防蟻用薬剤を前記有孔筒状体２００の連通孔２０２を介して前記土壌２０中に浸透させる。【選択図】  図１
2005261293.tif 000002
【特許請求の範囲】
【請求項１】
防蟻処理を施す方法であって、
防蟻処理対象となる建造物の基礎直下または基礎周辺の土壌中に、当該土壌と内空との間を連通する連通孔を備えた有孔筒状体を設置し、
防蟻用薬剤を噴射する噴射口と当該噴射口に圧送装置より圧送される防蟻用薬剤を供給するフレキシブル管とを備えた挿入具を、前記有孔筒状体における前記内空のうち防蟻処理領域にあたる経路位置に前記噴射口が位置すべく挿通し、
前記内空に挿通された前記挿入具に圧送装置より防蟻用薬剤を供給し、当該防蟻用薬剤を前記噴射口より噴射させ、当該噴射口より噴射させた防蟻用薬剤を前記有孔筒状体の連通孔を介して前記土壌中に浸透させることを特徴とする防蟻処理方法。
【請求項２】
請求項１において、
前記有孔筒状体の内空経路のうち前記防蟻処理領域に対応する所定範囲において前記噴射口を移動させつつ防蟻用薬剤の噴射を行うことを特徴とする防蟻処理方法。
【請求項３】
請求項１または２において、
前記有孔筒状体が、金属材料、樹脂材料、窯業物、岩石材料のいずれかを筒状に成形または配置して成したものであり、
前記連通孔が、前記金属材料、樹脂材料、および窯業物のいずれかをメッシュ状に成したものか、前記岩石材料を筒状に結合または敷設した際の岩石材料間の間隙をもって成したものであることを特徴とする防蟻処理方法。
【請求項４】
請求項１〜３のいずれかにおいて、
前記有孔筒状体が可撓性を有するものであることを特徴とする防蟻処理方法。
【請求項５】
請求項１〜４のいずれかにおいて、
前記土壌中における有孔筒状体外周に砕石を配置し砕石層を設けることを特徴とする防蟻処理方法。
【請求項６】
請求項５において、
前記砕石層をなす砕石が多孔質物質であることを特徴とする防蟻処理方法。
【請求項７】
請求項１〜６のいずれかにおいて、
前記有孔筒状体における挿入具の挿入口を複数箇所設置することを特徴とする防蟻処理方法。
【請求項８】
請求項１〜７のいずれかにおいて、
前記土壌の性状データに基づいて、防蟻用薬剤の土壌中における浸透範囲、または防蟻用薬剤の土壌における吸着量を判定し、当該判定の結果に基づき、前記挿入具における防蟻用薬剤の圧送圧力または圧送時間を管理することを特徴とする防蟻処理方法。
【請求項９】
請求項１〜８のいずれかにおいて、
前記挿入具の噴射口が、挿入具先端を加工して形成したものか、挿入具先端に取り付け可能な先端具に設けたものであり、前記挿入具の先端全周または前記先端具全周にわたって適宜間隔で複数設けられたものであることを特徴とする防蟻処理方法。
【請求項１０】
防蟻処理を施す装置であって、
防蟻処理対象となる建造物の基礎直下または基礎周辺の土壌中に設置し、当該土壌と内空との間を連通する連通孔を備えた有孔筒状体と、
防蟻用薬剤を噴射する噴射口と当該噴射口に圧送装置より圧送される防蟻用薬剤を供給するフレキシブル管とを備えた挿入具と、
を備えることを特徴とする防蟻処理装置。
【発明の詳細な説明】
【技術分野】
【０００１】
本発明は、防蟻処理方法および防蟻処理装置に関する。
【背景技術】
【０００２】
建造物に対する白蟻の被害を予防する技術としては、例えば殺虫もしくは忌避効果を持つ薬剤を土壌に散布して土壌吸着させ、当該薬剤を吸着させた土壌をもって白蟻侵入に抗するバリアとするといった手法が実用されている。
【０００３】
前記薬剤を散布する手法として例えば、防蟻剤を貯留する薬槽と、前記薬槽から防蟻剤を汲み出すポンプと、前記ポンプから延びて床下に配管されるフレキシブルチュ−ブと、前記フレキシブルチュ−ブに設置されて床下の消毒個所に配置される複数の噴射ノズルとから成る床下消毒装置（特許文献１参照）などが提案されている。
【０００４】
また、周壁に防蟻剤噴射用の多数のオリフィスが形成された防蟻剤散布用パイプを、建築物の基礎工事に際して、少なくとも床下の地中に予め配管し、且つ該防蟻剤散布用パイプの防蟻剤供給口に外部から防蟻剤を供給できるようにし、その後前記防蟻剤散布用パイプが地中に配管された土間の表面に土間コンクリートを打設してなり、前記防蟻剤散布用パイプの前記防蟻剤供給口に外部から防蟻剤を供給することによって、土間コンクリートを打設後も建築物の床下の地中に防蟻剤を注入散布できるようにしてなることを特徴とする建築物の防蟻処理工法（特許文献２参照）などが提案されている。
【特許文献１】特開２０００−２３６７９５号公報
【特許文献１】特許３３２３０００号公報
【発明の開示】
【発明が解決しようとする課題】
【０００５】
ところで、上述したような土壌に散布される薬剤の効果持続期間（通常５年間）が経過した後は、再度の薬剤散布を行う必要がある。しかし、建造物の基礎や床下の構造によっては、経年時に必要な部位に適切な再処理を行うことが困難な場合が多い。また、このような再散布作業が可能な場合であっても、床下等のような狭小かつ半閉鎖空間にて作業を行うことは作業効率を低下させ、作業者の負担や処理コストの増大につながっていた。
【０００６】
更に、このような薬剤散布を家人居住中の建造物床下にて行うとすれば、室内空気質の悪化や居住空間への影響が懸念されることともなる。
【０００７】
他方、薬剤圧送用の配管のみを予め土壌中に設置するとしても、圧送圧が不足して長大な経路の末端まで薬剤が届かない惧れがあり、こうなると十分な防蟻効果が期待できないものとなった。一方で、このような薬剤不達の問題を解消しようとして過大な圧送圧を配管中に加えることとなったり、或いは大量の薬剤を使用することとなり、効率およびコストを良好とすることが困難であった。
【０００８】
そこで本発明は上記課題を鑑みてなされたものであり、防蟻処理対象への複数回にわたる薬剤散布を的確かつ効率的に実行可能とする防蟻処理方法および防蟻処理装置を提供することを主たる目的とする。
【課題を解決するための手段】
【０００９】
上記課題を解決する本発明の防蟻処理方法は、防蟻処理を施す方法であって、防蟻処理対象となる建造物の基礎直下または基礎周辺の土壌中に、当該土壌と内空との間を連通する連通孔を備えた有孔筒状体を設置し、防蟻用薬剤を噴射する噴射口と当該噴射口に圧送装置より圧送される防蟻用薬剤を供給するフレキシブル管とを備えた挿入具を、前記有孔筒状体における前記内空のうち防蟻処理領域にあたる経路位置に前記噴射口が位置すべく挿通し、前記内空に挿通された前記挿入具に圧送装置より防蟻用薬剤を供給し、当該防蟻用薬剤を前記噴射口より噴射させ、当該噴射口より噴射させた防蟻用薬剤を前記有孔筒状体の連通孔を介して前記土壌中に浸透させることを特徴とする（第１の発明）。
【００１０】
第２の発明は、第１の発明において、前記有孔筒状体の内空経路のうち前記防蟻処理領域に対応する所定範囲において前記噴射口を移動させつつ防蟻用薬剤の噴射を行うことを特徴とする。
【００１１】
第３の発明は、第１または第２の発明において、前記有孔筒状体が、金属材料、樹脂材料、窯業物、岩石材料のいずれかを筒状に成形または配置して成したものであり、
前記連通孔が、前記金属材料、樹脂材料、および窯業物のいずれかをメッシュ状に成したものか、前記岩石材料を筒状に結合または敷設した際の岩石材料間の間隙をもって成したものであることを特徴とする。
【００１２】
第４の発明は、第１〜第３のいずれかの発明において、前記有孔筒状体が可撓性を有するものであることを特徴とする。
【００１３】
第５の発明は、第１〜第４のいずれかの発明において、前記土壌中における有孔筒状体外周に砕石を配置し砕石層を設けることを特徴とする。
【００１４】
第６の発明は、第５の発明において、前記砕石層をなす砕石が多孔質物質であることを特徴とする。
【００１５】
第７の発明は、第１〜第６のいずれかの発明において、前記有孔筒状体における挿入具の挿入口を複数箇所設置することを特徴とする。
【００１６】
第８の発明は、第１〜第７のいずれかの発明において、前記土壌の性状データに基づいて、防蟻用薬剤の土壌中における浸透範囲、または防蟻用薬剤の土壌における吸着量を判定し、当該判定の結果に基づき、前記挿入具における防蟻用薬剤の圧送圧力または圧送時間を管理することを特徴とする。
【００１７】
第９の発明は、第１〜第８のいずれかの発明において、前記挿入具の噴射口が、挿入具先端を加工して形成したものか、挿入具先端に取り付け可能な先端具に設けたものであり、前記挿入具の先端全周または前記先端具全周にわたって適宜間隔で複数設けられたものであることを特徴とする。
【００１８】
第１０の発明は、防蟻処理を施す装置であって、防蟻処理対象となる建造物の基礎直下または基礎周辺の土壌中に設置し、当該土壌と内空との間を連通する連通孔を備えた有孔筒状体と、防蟻用薬剤を噴射する噴射口と当該噴射口に圧送装置より圧送される防蟻用薬剤を供給するフレキシブル管とを備えた挿入具と、を備えることを特徴とする防蟻処理装置にかかる。
【００１９】
その他、本願が開示する課題、及びその解決方法は、発明の実施の形態の欄、及び図面により明らかにされる。
【発明の効果】
【００２０】
本発明によれば、防蟻処理対象への複数回にわたる薬剤散布を的確かつ効率的に実行可能とできる。
【発明を実施するための最良の形態】
【００２１】
以下に本発明の実施形態について図面を用いて詳細に説明する。図１は本実施形態における防蟻処理方法の実施概要図である。本実施形態においては、防蟻処理の適用対象となる建造物１０の基礎１００の周囲の土壌２０中に防蟻用薬剤を所定期間毎に浸透させ、当該防蟻用薬剤が浸透した土壌２０をもって白蟻へのバリア効果を長期にわたる奏することを想定する。
【００２２】
本実施形態における建造物１０の基礎１００の例としては、例えば地盤の土壌２０中に適宜な深さで打設されたフーチング部１０１と、当該フーチング部１０１から立設した布基礎部１０２とから構成される。そして前記布基礎部１０２上端には建造物の壁体等の上部構造１１０が適宜な締結金具等で固定される。白蟻は前記土壌２０より前記フーチング部１０１または布基礎部１０２に蟻道を形成して前記上部構造１１０に達し、これを破損あるいは食害することとなる。従って、土壌２０より基礎１００への侵入を防ぐべく、基礎１００における前記フーチング部１０１および布基礎部１０２から周辺土壌まで連続した防蟻用薬剤の浸透域を形成する。
【００２３】
なお、上記の建造物１０および基礎１００の形態は一例であり、建造物１０や基礎１００の種類や規模、用途等は本発明の適用に当たって問わないのは勿論である。
【００２４】
こうした建造物１０の基礎１００の周囲の土壌２０に防蟻用薬剤を所定期間毎に簡便に浸透させるための防蟻処理装置として、まずは本発明における有孔筒状体２００が設置される。図１における設置形態では、例えば、前記布基礎部１０２に囲まれた居室床下の土壌２０中に有孔筒状体２００を設置している。この場合の有孔筒状体２００は、前記居室と床下との境界にあたる床スラブ１０５の下方土壌中に予め敷設される。また更に、前記基礎１００のフーチング部１０１の外周にも当該有孔筒状体２００を敷設する。
【００２５】
なお、有孔筒状体２００の敷設にあたっては、建造物１０の基礎１００のどの部位に薬剤処理を必要とするのか、基礎周辺の状況や白蟻の生息状況等に鑑みて予め設計し定めておくものとすれば好適である。或いは、単に基礎１０の全周にわたりくまなく有孔筒状体２００を敷設するものとしてもよい。
【００２６】
図２は本実施形態における、（ａ）防蟻用薬剤の噴射形態、（ｂ）有孔筒状体内における挿入具の稼働状況をぞれぞれ示す図である。次に、前記土壌２０に敷設される有孔筒状体２００と、当該有孔筒状体２００に挿通され前記防蟻用薬剤を噴射する挿入具３００について説明しておく。
【００２７】
前記有孔筒状体２００は、前記土壌２０と内空２０１との間を連通する連通孔２０２を備えたものであり、土壌中における耐候性、耐腐食性等を適宜に備える金属材料（例：ステンレス等）、樹脂材料（例：硬質塩ビなど）、窯業物（例：コンクリート、タイル等）、岩石材料（例：砕石等）のいずれかを筒状に成形または配置して成したものである。また、有孔筒状体２００は、直管とコーナー部材との組み合わせでもって必要な経路をなすか、或いは有孔筒状体２００自体が可撓性を有して必要な経路に対応できるものとする。この経路は、挿入具３００が内空２０１を挿通していく際に支障が無いように、屈曲部における曲率、挿入具３００の断面形状およびサイズに適合する内空２０１の断面形状およびサイズに関して予め配慮するものとする。
【００２８】
なお、有孔筒状体２００の断面形状としては円形のみならず、四角形その他の多角形、楕円形といった様々な形態のものを採用できる。
【００２９】
また、前記連通孔２０１は、前記金属材料、樹脂材料、および窯業物のいずれかをメッシュ状に成したものか、前記岩石材料を筒状に結合または敷設した際の岩石材料間の間隙をもって成したものとすることができる。
【００３０】
図２（ａ）に示す例においては、土壌２０中に前記有孔筒状体２００を敷設すると共に、この有孔筒状体２００の外周を砕石４００（つまり岩石材料）により覆って砕石層４１０を形成している。この砕石層４１０をもって有孔筒状体２００とすることも可能であるから、この場合は、前記砕石４００相互間の間隙４１５が前記連通孔２０２の役割を果たすこととなる。
【００３１】
上述したように有孔筒状体２００の外周に砕石施工を行うとすれば、例えば経年経過時に周辺の土壌２０からの土・砂等が前記連通孔２０２に流入することによる目詰まりを抑制する効果が期待できる。また更に、砕石４００として、多孔質性物質（例：無機鉱物）など防蟻用薬剤を吸着しやすいものを採用すれば、前記連通孔２０２より流出する防蟻用薬剤が土壌２０に加えて砕石４００にも吸着され、砕石層４１０も防蟻用のバリアとなりうるのである。
【００３２】
こうした構造を備える有孔筒状体２００は、前記挿入具３００を挿通させるための挿入口２５０を備えている。この挿入口２５０は、例えば有孔筒状体２００の中間部分が閉鎖されるような事態に備え、有孔筒状体２００の１系統に対し予め複数箇所設置すると好適である。
【００３３】
一方、前記有孔筒状体２００の内空２０１を挿通する挿入具３００は、防蟻用薬剤を噴射する噴射口３０１と当該噴射口３０１に圧送装置３５０（図１）より圧送される防蟻用薬剤を供給するフレキシブル管３０２とを備えるものである。この挿入具３００におけるフレキシブル管３０２の材質としては、可撓性と内空２０１への挿通に必要な適宜な堅さのある例えば金属や樹脂といったものが想定できる。勿論、材質として防蟻用薬剤に対する対薬品性も備える必要がある。
【００３４】
図２（ｂ）で示すように、この挿入具３００の噴射口３０１は、例えば挿入具先端に取り付け可能な先端具３１０において、当該先端具３１０の全周にわたって適宜間隔で複数設けるものとできる。或いは、挿入具３００の先端に孔を直接形成するなどして噴射口３０１を形成するとしてもよい。この場合の噴射口３０１も、挿入具３００の先端全周にわたって設けるものとする。
【００３５】
本実施形態における防蟻処理方法を実現する防蟻処理装置について上述したが、次に、本実施形態における防蟻処理方法の手順について説明する。図３は本実施形態における防蟻処理方法の処理手順を示すフロー図である。なお、ここでの各手順は、上述した防蟻処理装置の適用を前提に実施されるものとし、上記と重複する説明については適宜省略するものとする。
【００３６】
まず、防蟻処理対象となる建造物１０の基礎１００の直下または基礎１００の周辺の土壌２０中に、当該土壌２０と内空２０１との間を連通する連通孔２０２を備えた有孔筒状体２００を設置する（ｓ１００１）。
【００３７】
そして、防蟻用薬剤を噴射する噴射口３０１と当該噴射口２０５に圧送装置３５０より圧送される防蟻用薬剤を供給するフレキシブル管３０２とを備えた挿入具３００を、前記有孔筒状体２００における前記内空２０１のうち防蟻処理領域にあたる経路位置に前記噴射口３０１が位置すべく挿通する（ｓ１００２）。
【００３８】
この挿通処理にあたっては、例えば前記圧送装置３５０に付帯して前記フレキシブル管３０２の巻取りと送り出しとを担う、リール３５５を介して前記挿入口２５０に向けて前記挿入具３００を送り出す。そして、前記挿入口２５０から有孔筒状体２００の内空２０１に進入した挿入具３００を所定長（例：予め算定しておいた、前記挿入口２５０から内空２０１の所定位置までの経路長と同じ距離）まで更に送り出す。これにより、前記内空２０１の経路に沿って挿入具３００が進み、防蟻用薬剤を噴射すべき経路位置まで誘導される。
【００３９】
次に、前記内空２０１に挿通された前記挿入具３００に圧送装置３５０より防蟻用薬剤を供給する（ｓ１００３）。そして、当該防蟻用薬剤を前記噴射口３０１より噴射させ、当該噴射口３０１より噴射させた防蟻用薬剤を前記有孔筒状体２００の連通孔２０２を介して前記土壌２０中に浸透させる（ｓ１００４）。なお、防蟻用薬剤を挿入具３００の噴射口３０１より噴射させるにあたり、例えば前記有孔筒状体２００の内空経路のうち、今回の処理で防蟻処理が必要な領域に対応する所定範囲において、前記噴射口３０１を移動させつつ防蟻用薬剤の噴射を行うとすることができる。この場合、前記所定範囲における内空経路の経路長分に対応して前記リール３５５がフレキシブル管３０２の巻取り（あるいは送り出し）を行い、この巻取り動作等の間に防蟻用薬剤の噴射を実行するのである。
【００４０】
なお、前記防蟻用薬剤の噴射処理を実行するに先立ち、前記土壌２０のサンプルを採取して各種分析手法による性状分析を行い、この性状データを施工管理に役立てると好適である。例えば、前記土壌２０が粘性土であれば防蟻用薬剤の浸透速度が他の土質より相対的に遅くなりがちで、一方、砂質土であれば前記浸透速度が他の土質より相対的に早くなりがちであるといったデータや、防蟻用薬剤の吸着能のデータなどを併せて考慮すれば、該当土壌２０における防蟻用薬剤の浸透範囲、または防蟻用薬剤の土壌における吸着量を判定することができる。したがって、この判定に沿って前記圧送装置３５０における圧送圧や圧送時間、或いは防蟻用薬剤の使用量を予め増減制御することができ、防蟻用薬剤の使用量や施工時間を必要最小限に抑制し、作業効率やコストの改善に資することとなる。
【００４１】
本発明によれば、有孔筒状体の内空経路の任意位置に任意の時期に挿入具を挿通させて防蟻用薬剤を噴射することができるから、薬剤散布のために建造物を一部改築したり造作を施すといった必要もなくなる上、作業者側の負担も低減され、防蟻用薬剤の再散布にかかる費用を低減でき、経済的な防蟻処理を実現できる。更に、的確な防蟻処理を長期にわたり繰り返しかつ容易に行うことが可能となる。  
したがって、防蟻処理対象への複数回にわたる薬剤散布を的確かつ効率的に実行可能とできる。
【００４２】
以上、本発明の実施の形態について、その実施の形態に基づき具体的に説明したが、これに限定されるものではなく、その要旨を逸脱しない範囲で種々変更可能である。
【図面の簡単な説明】
【００４３】
【図１】本実施形態における防蟻処理方法の実施概要図である。
【図２】本実施形態における、（ａ）防蟻用薬剤の噴射形態、（ｂ）有孔筒状体内における挿入具の稼働状況をぞれぞれ示す図である。
【図３】本実施形態における防蟻処理方法の処理手順を示すフロー図である。
【符号の説明】
【００４４】
１０    建造物                      ２０    土壌
１００  基礎                        １０１  フーチング部
１０２  布基礎部                    １０５  床スラブ
１１０  上部構造
２００  有孔筒状体                  ２０１  内空
２０２  連通孔                      ２５０  挿入口
３００  挿入具                      ３０１  噴射口
３０２  フレキシブル管              ３１０  先端具
３５０  圧送装置                    ３５５  リール
４００  砕石
４１０  砕石層                      ４１５  砕石間の間隙
【図１】
2005261293.tif 000003
【図２】
2005261293.tif 000004
【図３】
2005261293.tif 000005